(57)【特許請求の範囲】
【請求項１】
装着具本体（１）の一端部に取り付けられる雌バンド（２）と、装着具本体（１）の他端部に取り付けられる雄バンド（３）とからなり、前記雌バンド（２）を、軟質弾性体よりなるバンド本体（２１）に、硬質弾性体よりなる雌体（２２）を一体化したものとし、前記雄バンド（３）を、軟質弾性体よりなるバンド本体（３１）に、硬質弾性体よりなる雄体（３２）を一体化したものとし、前記雌体（２２）と雄体（３２）とを係合可能とした顔面装着具用バンドであって、前記雌体（２２）を、平坦部（２２ａ）の後端に角を丸めた略凧形状のリング（２２ｂ）を形成したものとし、前記雄体（３２）を、平坦部（３２ａ）の後端に幅狭部（３２ｂ）を介して後端両側に円弧状のフック（３２ｃ、３２ｃ）を形成したものとし、前記雄体（３２）のフック（３２ｃ、３２ｃ）の両側間の距離（Ｌ）を、雌体（２２）のリング（２２ｂ）内に形成される略凧形の短い対角線の長さ（Ｌａ）よりも長く、同略凧形の長い対角線の長さ（Ｌｂ）よりも短くしたものとすることにより、前記雌体（２２）と雄体（３２）との係合操作時に、雌体（２２）のリング（２２ｂ）を、前記雄体（３２）のフック（３２ｃ、３２ｃ）がスライド可能にしたことを特徴とする顔面装着具用バンド。
【請求項２】
装着具本体（１）の一端部に取り付けられる雌バンド（２）と、装着具本体（１）の他端部に取り付けられる雄バンド（３）とからなり、前記雌バンド（２）を、軟質弾性体よりなるバンド本体（２１）に、硬質弾性体よりなる雌体（２２）を一体化したものとし、前記雄バンド（３）を、軟質弾性体よりなるバンド本体（３１）に、硬質弾性体よりなる雄体（３２）を一体化したものとし、前記雌体（２２）と雄体（３２）とを係合可能とした顔面装着具用バンドであって、前記雌体（２２）を、平坦部（２２ａ）の後端に角を丸めた略菱形状のリング（２２ｂ）を形成したものとし、前記雄体（３２）を、平坦部（３２ａ）の後端に幅狭部（３２ｂ）を介して後端両側に円弧状のフック（３２ｃ、３２ｃ）を形成したものとし、前記雄体（３２）のフック（３２ｃ、３２ｃ）の両側間の距離（Ｌ）を、雌体（２２）のリング（２２ｂ）内に形成される略菱形の短い対角線よりも長く、同略菱形の長い対角線よりも短くしたものとすることにより、前記雌体（２２）と雄体（３２）との係合操作時に、雌体（２２）のリング（２２ｂ）を、前記雄体（３２）のフック（３２ｃ、３２ｃ）がスライド可能にしたことを特徴とする顔面装着具用バンド。
【請求項３】
前記バンド本体（２１）およびバンド本体（３１）のそれぞれの硬度を、シェアーＡ硬度２０°〜５５°とし、前記雌体（２２）および雄体（３２）のそれぞれの硬度を、シェアーＡ硬度６０°〜９５°としたことを特徴とする請求項１または２に記載の顔面装着具用バンド。
【請求項４】
前記バンド本体（２１）およびバンド本体（３１）のそれぞれの硬度を、シェアーＡ硬度３５°〜４５°とし、前記雌体（２２）および雄体（３２）のそれぞれの硬度を、シェアーＡ硬度７５°〜８５°としたことを特徴とする請求項１または２に記載の顔面装着具用バンド。
【請求項５】
前記バンド本体（２１）と雌体（２２）の境目および前記バンド本体（３１）と雄体（３２）の境目に、装着時の頭部との接触面側において厚みの方向に段差が生じないものとしたことを特徴とする請求項１または２に記載の顔面装着具用バンド。
【請求項６】
前記雌体（２２）のリング（２２ｂ）を、縦断面形状を略円形とし、前記雄体（３２）のフック（３２ｃ、３２ｃ）の根元（５）に、雌体（２２）のリング（２２ｂ）の縦断面の略円形と略同一径のアールを形成したことを特徴とする請求項１または２に記載の顔面装着具用バンド。
【請求項７】
前記請求項１〜６のいずれかに記載の顔面装着具用バンドを装着具本体（１）に取り付けたことを特徴とする顔面装着具。
【発明の詳細な説明】
【技術分野】
【０００１】
この発明は、水泳、スキーなどのスポーツをするときや、オートバイの運転などをするときに着用するゴーグル、塵埃等の有害物質の侵入を防止するために使用する防塵マスクを始めとする各種の顔面装着具および顔面装着具用バンドに関するものである。
【背景技術】
【０００２】
従来、この種の顔面装着具としては、例えば図１１に示したような水泳用ゴーグルが存在する。この水泳用ゴーグルは、縄具５１、５２とリム本体５３、５４を組合わせ、この縄具５１、５２の端部にそれぞれ形成された二つの偏平端５５、５６に相互に係合可能な第一止め具５７と第二止め具５８が設けられている。そして、この第一止め具５７と第二止め具５８により二つの単一のリム本体５３、５４の縄具５１、５２を連結して一体としたものとしている（特許文献１）。
【０００３】
さらに、この種の顔面装着具としては、例えば図１２に示したようなマスクが存在する。このマスクは、横長の弾性薄板片６１の後端部に、マスク６２の締め紐６３の一方を着脱自在として取り付けるようにし、さらにこの弾性薄板片６１に設けた複数段の引っ掛け部６４に、マスク６２の締め紐６３のもう一方を係脱自在として取り付けるようにしたものとしている（特許文献２）。
【特許文献１】実用新案登録第３０６７０２８号公報（第１０頁、図２）
【特許文献２】特開平１０−２０１８６６号公報（第２頁、図８）
【発明の開示】
【発明が解決しようとする課題】
【０００４】
しかしながら、上記図１１に示した従来の水泳用ゴーグルでは、縄具５１、５２と第一止め具５７、第二止め具５８が別体として構成されているため、これらどうしの連結が緩んでしまったり、またこれらの連結を緩んだままにしておくと、縄具５１、５２から第一止め具５７や第二止め具５８が外れて紛失してしまう虞れがあるという問題点を有していた。特に、使用者が幼児や老人等である場合には、縄具５１、５２と第一止め具５７、第二止め具５８との連結が緩んだのに気づかず、そのままにしておくことが多く、第一止め具５７や第二止め具５８が外れて紛失してしまうことがある。
【０００５】
さらに、上記従来の水泳用ゴーグルでは、縄具５１、５２については使用者の側頭部等への接触を柔らげるために、軟質の弾性体からなるものとしているが、第一止め具５７、第二止め具５８は連結時の耐久性や強度性を持たせるために、硬質プラスチックなどの硬い材質としている。そのため、この水泳用ゴーグルをきつめに装着してしまった場合には、縄具５１と第一止め具５７、縄具５２と第二止め具５８の連結部が使用者の後頭部等へ接触すると、装着感が悪くなったり、時には使用者が痛みを感じてしまうこともあるという問題点を有していた。特に、使用者が幼児や老人等である場合には、装着感が悪くなったり、痛みを感じてしまうと、使用に耐えることができなくなり、外してしまうこともある。
【０００６】
また、上記従来の水泳用ゴーグルでは、第一止め具５７、第二止め具５８を硬質プラスチックなどの硬い材質としているので、これら第一止め具５７と第二止め具５８との係合に力がいったりして、その係合操作が困難であるという問題点を有していた。特に、使用者が手に障害のある者や幼児、老人等である場合には、第一止め具５７と第二止め具５８との係合操作が非常に困難なものとなる。さらに、使用者がこのような者である場合には、父兄などの保護者、すなわち使用者以外の他人に水泳用ゴーグルを装着してもらうことがあるが、このような場合にもその他人による第一止め具５７と第二止め具５８との係合操作が非常に困難なものとなる。
【０００７】
そして、上記図１２に示した従来のマスクでは、弾性薄板片６１と締め紐６３が別体として構成されているため、弾性薄板片６１と締め紐６３との連結を外れ難いようにはしているが、何らかの拍子にその連結が外れることもあり、弾性薄板片６１を紛失してしまう虞れがあるという問題点を有していた。
【０００８】
さらに、上記従来のマスクでは、締め紐６３を軟質な素材としており、弾性薄板片６１も使用者の頭部の形状に沿って撓む程度の弾性を有するものとしているので、この弾性薄板片６１が使用者の後頭部等へ接触しても、装着感が悪くなることはないと言える。しかし、上記従来のマスクでは、弾性薄板片６１が使用者の頭部の形状に沿って撓むが、この弾性薄板片６１は硬質プラスチックなどでできているため、この弾性薄板片６１や締め紐６３との連結部が使用者の後頭部等へ接触すると、装着感が悪くなると感じる使用者は少ないにせよ存在すると言える。
【０００９】
そこで、この発明は、上記従来の問題点を解決することをその課題としており、前記第一止め具や第二止め具、弾性薄板片に相当する止め部材を紛失してしまうことがなく、また使用者がきつめに装着してしまった場合に、その止め部材が使用者の後頭部等へ接触しても装着感が悪くなることなく、痛みを感じることがなく、使用者が幼児や老人等である場合にも抵抗なく使用することができ、さらに止め部材の係合操作がどのような使用者にとっても非常に簡単に行うことができ、しかも使用者が他人に装着してもらう場合にも、その他人による止め部材の係合操作が非常に簡単に行うことができる顔面装着具および顔面装着具用バンドを提供することを目的としてなされたものである。
【課題を解決するための手段】
【００１０】
そのため、この発明は、装着具本体１の一端部に取り付けられる雌バンド２と、装着具本体１の他端部に取り付けられる雄バンド３とからなり、前記雌バンド２を、軟質弾性体よりなるバンド本体２１に、硬質弾性体よりなる雌体２２を一体化したものとし、前記雄バンド３を、軟質弾性体よりなるバンド本体３１に、硬質弾性体よりなる雄体３２を一体化したものとし、前記雌体２２と雄体３２とを係合可能とした顔面装着具用バンドであって、前記雌体２２を、平坦部２２ａの後端に角を丸めた略凧形状のリング２２ｂを形成したものとし、前記雄体３２を、平坦部３２ａの後端に幅狭部３２ｂを介して後端両側に円弧状のフック３２ｃ、３２ｃを形成したものとし、前記雄体３２のフック３２ｃ、３２ｃの両側間の距離Ｌを、雌体２２のリング２２ｂ内に形成される略凧形の短い対角線の長さＬａよりも長く、同略凧形の長い対角線の長さＬｂよりも短くしたものとすることにより、前記雌体２２と雄体３２との係合操作時に、雌体２２のリング２２ｂを、前記雄体３２のフック３２ｃ、３２ｃがスライド可能にしたものにしている。
【００１１】
さらに、この発明は、装着具本体１の一端部に取り付けられる雌バンド２と、装着具本体１の他端部に取り付けられる雄バンド３とからなり、前記雌バンド２を、軟質弾性体よりなるバンド本体２１に、硬質弾性体よりなる雌体２２を一体化したものとし、前記雄バンド３を、軟質弾性体よりなるバンド本体３１に、硬質弾性体よりなる雄体３２を一体化したものとし、前記雌体２２と雄体３２とを係合可能とした顔面装着具用バンドであって、前記雌体２２を、平坦部２２ａの後端に角を丸めた略菱形状のリング２２ｂを形成したものとし、前記雄体３２を、平坦部３２ａの後端に幅狭部３２ｂを介して後端両側に円弧状のフック３２ｃ、３２ｃを形成したものとし、前記雄体３２のフック３２ｃ、３２ｃの両側間の距離Ｌを、雌体２２のリング２２ｂ内に形成される略菱形の短い対角線よりも長く、同略菱形の長い対角線よりも短くしたものとすることにより、前記雌体２２と雄体３２との係合操作時に、雌体２２のリング２２ｂを、前記雄体３２のフック３２ｃ、３２ｃがスライド可能にしたものにしている。
【００１２】
また、この発明の顔面装着具用バンドは、前記バンド本体２１およびバンド本体３１のそれぞれの硬度を、シェアーＡ硬度２０°〜５５°とし、前記雌体２２および雄体３２のそれぞれの硬度を、シェアーＡ硬度６０°〜９５°としたものにしている。
【００１３】
さらに、この発明の顔面装着具用バンドは、前記バンド本体２１およびバンド本体３１のそれぞれの硬度を、シェアーＡ硬度３５°〜４５°とし、前記雌体２２および雄体３２のそれぞれの硬度を、シェアーＡ硬度７５°〜８５°としたものにするのがより好ましい。
【００１４】
また、この発明の顔面装着具用バンドは、前記バンド本体２１と雌体２２の境目および前記バンド本体３１と雄体３２の境目に、装着時の頭部との接触面側において厚みの方向に段差が生じないものとしている。
【００１５】
さらに、この発明の顔面装着具用バンドは、前記雌体２２のリング２２ｂを、縦断面形状を略円形とし、前記雄体３２のフック３２ｃ、３２ｃの根元５に、雌体２２のリング２２ｂの縦断面の略円形と略同一径のアールを形成したものとしている。
【００１７】
そして、この発明の顔面装着具は、前記のように構成した顔面装着具用バンドを装着具本体１に取り付けたものとしている。
【発明の効果】
【００１８】
この発明は、以上に述べたように構成されているため、止め部材である雌体２２と雄体３２を紛失してしまうことがなく、また使用者がきつめに装着してしまった場合に、その雌体２２と雄体３２が使用者の後頭部等へ接触しても装着感が悪くなることなく、痛みを感じることがなく、使用者が幼児や老人等である場合にも抵抗なく使用することができ、さらに雌体２２と雄体３２の係合操作がどのような使用者にとっても非常に簡単に行うことができ、しかも使用者が他人に装着してもらう場合にも、その他人による雌体２２と雄体３２の係合操作が非常に簡単に行うことができるものとなる。
【発明を実施するための最良の形態】
【００１９】
以下、この発明の顔面装着具および顔面装着具用バンドを実施するための最良の形態について、図面に基づき詳細に説明する。
【００２０】
この発明の顔面装着具用バンドは、装着具本体１の一端部に取り付けられる雌バンド２と、装着具本体１の他端部に取り付けられる雄バンド３とからなる。前記雌バンド２は、軟質弾性体よりなるバンド本体２１に、硬質弾性体よりなる雌体２２を一体化したものとしている。前記雄バンド３は、軟質弾性体よりなるバンド本体３１に、硬質弾性体よりなる雄体３２を一体化したものとしている。そして、前記雌体２２と雄体３２とを係合可能としたものにしている。
【００２１】
前記装着具本体１としては、図１に示したような水泳用ゴーグル、図２に示したようなスポーツ用サングラスのほか、スキー用ゴーグル、オートバイ用ゴーグル、安全ゴーグル、防塵ゴーグル、防塵マスク等を例示することができるが、顔面装着具と呼べるものであれば特に限定されることはない。
【００２２】
なお、装着具本体１とは、通常、顔面装着具の全体を指すが、顔面装着具の種類によってはその一部分を指す場合もある。例えば、図１に示したような水泳用ゴーグルではアイカップのみを指すが、図２に示したようなスキー用サングラスでは、レンズ、枠およびツルを含めたものを指し、図１２に示したような従来のマスクでは、締め紐を外したマスクのみを指す。
【００２３】
前記雌バンド２のバンド本体２１および雄バンド３のバンド本体３１のそれぞれの硬度は、シェアーＡ硬度２０°〜５５°としており、好ましくはシェアーＡ硬度３５°〜４５°とすることができる。前記硬度がシェアーＡ硬度２０°より小さいと、装着具本体１に充分な連結力をもって取り付けることができず、また装着時に頭部への充分な保持力を得ることができない。前記硬度がシェアーＡ硬度５５°より大きいと、柔軟性が少なく、装着時に非常に強い力が必要となる。
【００２４】
前記雌バンド２の雌体２２および雄バンド３の雄体３２のそれぞれの硬度は、シェアーＡ硬度６０°〜９５°としており、好ましくはシェアーＡ硬度７５°〜８５°とすることができる。前記硬度がシェアーＡ硬度６０°より小さいと、雌体２２と雄体３２の係合時に変形しすぎ容易に脱落する。前記硬度がシェアーＡ硬度９５°より大きいと、雌体２２と雄体３２の係合時に適度に変形せず充分な係合力を得ることができない。特に、以下に示すように雌体２ｂをリングとし、雄体３ｂをフックとした場合に、前記リングが狭まらず、フックが撓らないために充分な係合力を得ることができない。また、雌体２２および雄体３２が装着時に頭部に沿わないため脱落し易くなる。
【００２５】
前記雌バンド２および雄バンド３の材質としては、柔軟性またはゴム弾性を有するシリコーンゴム、合成ゴム、熱可塑性エラストマー（スチレン系エラストマー、塩化ビニル系エラストマー、ウレタン系エラストマーなど）等とすることができる。
【００２６】
前記バンド本体２１に雌体２２を一体化したり、バンド本体３１に雄体３２を一体化するには、直圧成形もしくは射出成形によるのが好ましいが、接着剤を用いたり、熱溶着によっても一体化することができる。
【００２７】
前記バンド本体２１は、先端から雌体２２側にかけて徐々に厚みを厚くすると共に徐々に幅を広くしており、雌体２２をこのバンド本体２１の徐々に厚くした厚みと同一の厚みとし、バンド本体２１と雌体２２の境目に、装着時の頭部との接触面側において厚みの方向に段差が生じないものとしている。また、前記バンド本体３１も、先端から雄体３２側にかけて徐々に厚みを厚くすると共に徐々に幅を広くしており、雄体３２をこのバンド本体３１の徐々に厚くした厚みと同一の厚みとし、バンド本体３１と雄体３２の境目に、装着時の頭部との接触面側において厚みの方向に段差が生じないものとしている。このようにすれば、装着感がより良いものとなる。
【００２８】
また、前記バンド本体２１は、先端に凹部などとした指示部２１ａを設け、本体部に小突起などとした複数の目印２１ｂを等間隔に設けたものとし、また前記バンド本体３１は、先端に凹部などとした指示部３１ａを設け、本体部に小突起などとした複数の目印３１ｂを等間隔に設けたものとしている。このようにすると、前記バンド本体２１およびバンド本体３１を、装着具本体１の両端部に設けた連結具４の通し孔４１に連結する場合に、この通し孔４１に通して折り返したバンド本体２１、３１の指示部２１ａ、３１ａが、複数の目印２１ｂ、３１ｂのいずれかに位置するようになり、これによって装着具本体１に連結するバンド本体２１およびバンド本体３１の長さ調整の位置決めとすることができる。なお、図示したものでは、装着具本体１の両端部に連結具４を設けて、その通し孔４１にバンド本体２１、３１を連結したものとしているが、装着具本体１の両端部に直接通し孔（図示せず）を設けて、その通し孔にバンド本体２１、３１を連結したものとしてもよい。
【００２９】
前記雌体２２は、平坦部２２ａの後端に角を丸めた略凧形状のリング２２ｂを形成したものとし、前記雄体３２は、平坦部３２ａの後端に幅狭部３２ｂを介して後端両側に円弧状のフック３２ｃ、３２ｃを形成したものとしている。なお、前記雌体２２のリング２２ｂは、角を丸めた略菱形状、楕円形状などとすることもできる。
【００３０】
さらに、前記雌体２２のリング２２ｂは、縦断面形状を略円形としている。そして、前記雄体３２のフック３２ｃ、３２ｃの根元５には、雌体２２のリング２２ｂの縦断面の略円形と略同一径のアールを形成したものとしている。このようにすることにより、雌体２２のリング２２ｂがフック３２ｃ、３２ｃの根元５に係合し易くなり、また係合した状態を維持し易いものとなる。
【００３１】
また、前記雄体３２のフック３２ｃ、３２ｃの両側間の距離Ｌは、雌体２２のリング２２ｂ内に形成される略凧形の短い対角線の長さＬａよりも長く、同略凧形の長い対角線の長さＬｂよりも短くしたものとすることにより、前記雌体２２と雄体３２との係合操作時に、雌体２２のリング２２ｂの隣り合っている長いリング部分を、雄体３２のフック３２ｃ、３２ｃがスライド可能にしたものとしている。このようにすることにより、雌体２２と雄体３２との位置合わせがし易くなり、両者の係合操作が行い易いものとなる。なお、前記雄体３２のフック３２ｃ、３２ｃの両側間の距離Ｌは、雌体２２のリング２２ｂを略菱形とした場合には、その雌体２２のリング２２ｂ内に形成される略菱形の短い対角線よりも長くし、同略菱形の長い対角線よりも短くしたものとし、雌体２２のリング２２ｂを楕円形とした場合には、その雌体２２のリング２２ｂ内に形成される楕円形の短径の長さよりも長くし、同楕円形の長径の長さよりも短くしたものとしている。
【００３２】
さらに、前記雌体２２のリング２２ｂ内および雌体３２の平坦部３２ａには、ローレット加工や梨地加工を施したりして強摩擦部６を設けたものとし、これらの部分の摩擦力を増大させ、前記雌体２２と雄体３２との係合操作時に、これらの部分を持ったときに手が滑らないようにして、両者の係合操作がより行い易いものとしている。
【００３３】
そして、この発明の顔面装着具は、このように構成した顔面装着具用バンドを装着具本体１に取り付けたものとしている。すなわち、顔面装着具を図１に示したような水泳用ゴーグルとした場合は、左右のアイカップの端部に設けた連結具４の通し孔４１、または左右のアイカップの端部に直に設けた通し孔に、雌バンド２のバンド本体２１、雄バンド３のバンド本体３１をそれぞれ通す。また、顔面装着具を図２に示したようなスキー用サングラスとした場合は、左右のツルの端部に設けた連結具４の通し孔（図示せず）に雌バンド２のバンド本体２１、雄バンド３のバンド本体３１をそれぞれ通す。そして、これらバンド本体２１、バンド本体３１の先端側を装着具本体１または連結具４に連結して、雌バンド２と雄バンド３を装着具本体１に取り付けたものとしている。
【００３４】
以上のように構成されたこの発明の顔面装着具は、次のようにして使用者の顔面に装着される。
【００３５】
先ず、使用者が他人に装着してもらう場合、例えば使用者が手に障害のある者や幼児、老人等である場合には、父兄などの保護者等に装着してもらうことがある。このような場合には、使用者が装着具本体１を顔面の所定の位置に当て、手でその装着具本体１を顔面に押さえておく。そこで、他人が雌バンド２と雄バンド３を引っ張りながら、バンド本体２１、３１を側頭部に沿わせるようして後頭部に回し、雌体２２のリング２２ｂに雄体３２のフック３２ｃを近づける。そして、雌体２２のリング２２ｂを雄体３２のフック３２ｃに引っ掛けるか、雄体３２のフック３２ｃを雌体２２のリング２２ｂ内に差し込んでから、雌バンド２と雄バンド３を引っ張っていた力を抜く。すると、リング２２ｂが幅狭部３２ｂをスライドしてフック３２ｃの根元５に係合することになり、使用者が他人に装着してもらう場合に、非常に簡単に装着することができる。
【００３６】
次に、使用者が自分で装着する場合には、装着具本体１を顔面の所定の位置に当て、雌体２２と雄体３２のそれぞれの強摩擦部６を指で摘んで、雌バンド２と雄バンド３を引っ張りながら、バンド本体２１、３１を側頭部に沿わせるようして後頭部に回し、雌体２２のリング２２ｂに雄体３２のフック３２ｃを近づける。そして、前記したのと同様の操作を行えば、リング２２ｂがフック３２ｃの根元５に係合することになり、使用者が自分で装着する場合にも、非常に簡単に行うことができる。
【００３７】
また、使用者が自分で装着する場合に、図８に示したように、雌体２２と雄体３２のそれぞれの強摩擦部６を指で摘んで、雌体２２のリング２２ｂに雄体３２のフック３２ｃを近づける。次に、雌体２２のリング２２ｂ内に雄体３２のフック３２ｃを差し込み、図９に示したように、フック３２ｃをリング２２ｂの隣り合っている長いリング部分の上に載せるようにして、雌体２２と雄体３２をそれぞれ反対方向に引っ張る。すると、フック３２ｃが、リング２２ｂの隣り合っている長いリング部分をスライドして、図１０に示したように、フック３２ｃの根元５に係合することになる。そして、前記リング２２ｂとフック３２ｃとが係合した状態で、バンド本体２１、３１を反対方向に引っ張って伸ばしながら、雌バンド２と雄バンド３を使用者の頭部の上から被り、側頭部および後頭部に沿わせるようにして下げていくことによっても、この発明の顔面装着具を非常に簡単に装着することができる。
【００３８】
このようにしてこの発明の顔面装着具を使用者の顔面に装着すると、雌バンド２の雌体２２と、雄バンド３の雄体３２は使用者の後頭部に強く接触するが、これら雌体２２と雄体３２は硬質弾性体よりなっており、さらに雌体２２がバンド本体２１と一体化され、雄体３２もバンド本体３１と一体化されており、しかもバンド本体２１と雌体２２の境目、バンド本体３１と雄体３２の境目にはいずれも、頭部との接触面側において厚みの方向に段差が生じていないので、装着感が悪くなることはなく、使用者が痛みを感じることがない。
【００３９】
さらに、この発明の顔面装着具を使用者の顔面に装着するには、前記したように雌体２２と雄体３２とを係合操作すればよく、この係合操作はどのような使用者にとっても、また使用者が他人に装着してもらう場合には、その他人にとっても非常に簡単に行うことができるものとなる。
【図面の簡単な説明】
【００４０】
【図１】この発明の顔面装着具を水泳用ゴーグルとした場合の斜視図である。
【図２】この発明の顔面装着具をスポーツ用サングラスとした場合の斜視図である。
【図３】この発明の顔面装着具用バンドの雌バンドの平面図である。
【図４】この発明の顔面装着具用バンドの雌バンドの断面図である。
【図５】この発明の顔面装着具用バンドの雄バンドの平面図である。
【図６】この発明の顔面装着具用バンドの雄バンドの断面図である。
【図７】この発明の顔面装着具の装着具本体と雄バンドとの連結状態を示す斜視図である。
【図８】この発明の顔面装着具用バンドの雌体と雄体とを係合させる操作状態を示す説明図である。
【図９】この発明の顔面装着具用バンドの雌体と雄体とを係合させる操作状態を示す説明図である。
【図１０】この発明の顔面装着具用バンドの雌体と雄体とを係合させる操作状態を示す説明図である。
【図１１】従来の水泳用ゴーグルの分解斜視図である。
【図１２】従来のマスクの側面図である。
【符号の説明】
【００４１】
１  装着具本体
２  雌バンド
３  雄バンド
５  根元
２１  バンド本体
２２  雌体
２２ａ  平坦部
２２ｂ  リング
３１  バンド本体
３２  雄体
３２ａ  平坦部
３２ｂ  幅狭部
３２ｃ  フック
【図１】
0004789038.tif 000002
【図２】
0004789038.tif 000003
【図３】
0004789038.tif 000004
【図４】
0004789038.tif 000005
【図５】
0004789038.tif 000006
【図６】
0004789038.tif 000007
【図７】
0004789038.tif 000008
【図８】
0004789038.tif 000009
【図９】
0004789038.tif 000010
【図１０】
0004789038.tif 000011
【図１１】
0004789038.tif 000012
【図１２】
0004789038.tif 000013